(57)【要約】【課題】電源側バスバーおよびアース側バスバーへのコンデンサのリード部の接続作業を簡便且つ容易に行うことができると共に、それらの接続安定性を有利に維持することができる、新規な構造のコンデンサ内蔵ジョイントコネクタを提供すること。【解決手段】コネクタハウジング２２が、電源側／アース側バスバー１４，１８を保持するバスバー保持部５２と、コンデンサ保持部５４と、その間の接続領域５０とを含んで構成され、接続領域５０には、電源側／アース側バスバー１４，１８のリード接続部３４，４０と、コンデンサ２０のリード部４６が、相互に重ね合わされて電気的に接続されている一方、コンデンサ保持部５４が、筒壁体６２と、筒壁体６２にスライド自在に内装された底壁体６４を有し、底壁体６４には、リード挿通孔６６が貫設されている一方、底壁体６４を、筒壁体６２の基端部側に離脱可能に位置決め保持するロック手段を設けた。【選択図】図１
2014102964.tif 000002
【特許請求の範囲】
【請求項１】
複数の端子部を有する電源側バスバーと、複数の端子部を有するアース側バスバーと、前記電源側バスバーと前記アース側バスバーの間を接続するコンデンサが、コネクタハウジングに収容保持されてなるコンデンサ内蔵ジョイントコネクタにおいて、
前記コネクタハウジングが、該コネクタハウジングの一端側に設けられて前記電源側バスバーと前記アース側バスバーを保持するバスバー保持部と、前記コネクタハウジングの他端側に設けられて前記バスバー保持部から離隔した位置に前記コンデンサを保持するコンデンサ保持部と、前記バスバー保持部と前記コンデンサ保持部との間に設けられた接続領域とを含んで構成されている一方、
前記コンデンサが、コンデンサ本体と、該コンデンサ本体の底面から同じ向きに突出する一対のリード部を備えていると共に、
前記電源側バスバーと前記アース側バスバーが、前記コンデンサの前記一対のリード部が接続されるリード接続部をそれぞれ備えており、
前記コネクタハウジングの前記接続領域には、前記バスバー保持部から前記コンデンサ保持部に向かって突出する前記電源側バスバーおよび前記アース側バスバーの前記リード接続部と、前記コンデンサ保持部から前記バスバー保持部に向かって突出する前記コンデンサの前記一対のリード部が、相互に重ね合わされて電気的に接続されている一方、
前記コンデンサ保持部が、前記コネクタハウジングの前記他端側から中空筒体状に突出して前記コンデンサ本体の外周面を保持する筒壁体と、該筒壁体にスライド自在に内装されて前記コンデンサ本体の前記底面と対向する底壁体を含んで構成されており、
前記底壁体には、前記コンデンサの前記一対のリード部が挿通される一対のリード挿通孔が貫設されている一方、前記筒壁体に内装された前記底壁体を、前記筒壁体の基端部側に離脱可能に位置決め保持するロック手段が設けられている
ことを特徴とするコンデンサ内蔵ジョイントコネクタ。
【請求項２】
前記筒壁体の内周面と前記底壁体の外周面の一方に、軸方向に延びる係合凸部が形成されている一方、前記筒壁体の内周面と前記底壁体の外周面の他方に、軸方向に延びる係合凹部が形成されており、前記係合凸部と前記係合凹部が相互に嵌合された状態で、前記底壁体が前記筒壁体にスライド自在に内挿されている請求項１に記載のコンデンサ内蔵ジョイントコネクタ。
【請求項３】
前記ロック手段が、前記底壁体の外周面に軸直方向に撓み変形可能に突設されたロック爪と、前記筒壁体の前記基端部側に貫設されたロック穴を含んで構成されており、前記ロック爪が軸直方向内方に撓み変形することにより前記底壁体が前記筒壁体にスライド自在に内挿される一方、前記ロック爪が軸直方向外方に弾性復帰して前記ロック穴に嵌め入れられることにより、前記底壁体が前記筒壁体の前記基端部側に離脱可能に位置決め保持されるようになっている請求項１又は２に記載のコンデンサ内蔵ジョイントコネクタ。
【請求項４】
前記ロック爪により前記底壁体の外周面に軸方向に延びる前記係合凸部が構成されている一方、前記筒壁体の内周面には、該筒壁体の先端から前記ロック穴に向かって軸方向に延びる前記係合凹部が構成されている請求項３に記載のコンデンサ内臓ジョイントコネクタ。
【請求項５】
前記底壁体において、前記コンデンサ本体の前記底面と対向する一方の面の反対側となる他方の面には、軸方向に突出するリード支持台が構成されている一方、該リード支持台には、前記一対のリード挿通孔から突出する一対のリード部を保持する一対のリード保持溝が略半円形断面形状で延出形成されている請求項１〜４の何れか１項に記載のコンデンサ内蔵ジョイントコネクタ。
【発明の詳細な説明】
【技術分野】
【０００１】
本発明は、複数の端子部を有する電源側バスバーと、複数の端子部を有するアース側バスバーと、それら電源側バスバーとアース側バスバーの間を接続するコンデンサが、コネクタハウジングに収容保持されてなるコンデンサ内蔵ジョイントコネクタに関するものである。
【背景技術】
【０００２】
従来から、自動車等に搭載された電気・電子機器から導出される複数の電線を一括接続するジョイントコネクタの一種として、複数の端子部を有する電源側バスバーと複数の端子部を有するアース側バスバーの間にコンデンサが接続されたコンデンサ内蔵ジョイントコネクタが知られている。例えば、特開２００７−２８７６４４号公報（特許文献１）に記載のものがそれである。このようなコンデンサ内蔵ジョイントコネクタによれば、電源側バスバーの端子部に接続された各種機器のプラス側や電源のプラス側から導出される複数の電線が、電源側バスバーを介して一括接続される一方、アース側バスバーの端子部に接続された各種機器のマイナス側や電源のマイナス側から導出される複数の電線が、アース側バスバーに一括接続される。そして、アース接続されたコンデンサが電源側に接続されることにより、電源側に発生するノイズを除去することができるようになっている。
【０００３】
ところで、このような従来構造のコンデンサ内蔵ジョイントコネクタでは、特許文献１の図５や図６に示されるように、電源側バスバーおよびアース側バスバーをコネクタハウジングに収容配置した状態で、コンデンサの一対のリード部を、各バスバーに形成されたリード接続部に設けられた挿通孔に挿通してそれぞれ半田付けすることにより、コンデンサと電源側バスバーおよびアース側バスバーの接続が図られている。
【０００４】
ところが、コンデンサから突出する一対のリード部を各バスバーの挿通孔に合う位置で屈曲させて挿通する作業は非常に煩雑であり、作業効率の悪化を招いていた。しかも、各リード部を各リード接続部に半田付けする際には、治具等でコンデンサとコネクタハウジングを位置決め保持する必要があり、作業に必要な部品点数や工数の増加を招き、作業性をさらに悪化させていた。
【先行技術文献】
【特許文献】
【０００５】
【特許文献１】特開２００７−２８７６４４号公報
【発明の概要】
【発明が解決しようとする課題】
【０００６】
本発明は、上述の事情を背景に為されたものであって、その解決課題は、電源側バスバーおよびアース側バスバーへのコンデンサのリード部の接続作業を簡便且つ容易に行うことができると共に、それらの接続安定性を有利に維持することができる、新規な構造のコンデンサ内蔵ジョイントコネクタを提供することにある。
【課題を解決するための手段】
【０００７】
本発明の第一の態様は、複数の端子部を有する電源側バスバーと、複数の端子部を有するアース側バスバーと、前記電源側バスバーと前記アース側バスバーの間を接続するコンデンサが、コネクタハウジングに収容保持されてなるコンデンサ内蔵ジョイントコネクタにおいて、前記コネクタハウジングが、該コネクタハウジングの一端側に設けられて前記電源側バスバーと前記アース側バスバーを保持するバスバー保持部と、前記コネクタハウジングの他端側に設けられて前記バスバー保持部から離隔した位置に前記コンデンサを保持するコンデンサ保持部と、前記バスバー保持部と前記コンデンサ保持部との間に設けられた接続領域とを含んで構成されている一方、前記コンデンサが、コンデンサ本体と、該コンデンサ本体の底面から同じ向きに突出する一対のリード部を備えていると共に、前記電源側バスバーと前記アース側バスバーが、前記コンデンサの前記一対のリード部が接続されるリード接続部をそれぞれ備えており、前記コネクタハウジングの前記接続領域には、前記バスバー保持部から前記コンデンサ保持部に向かって突出する前記電源側バスバーおよび前記アース側バスバーの前記リード接続部と、前記コンデンサ保持部から前記バスバー保持部に向かって突出する前記コンデンサの前記一対のリード部が、相互に重ね合わされて電気的に接続されている一方、前記コンデンサ保持部が、前記コネクタハウジングの前記他端側から中空筒体状に突出して前記コンデンサ本体の外周面を保持する筒壁体と、該筒壁体にスライド自在に内装されて前記コンデンサ本体の前記底面と対向する底壁体を含んで構成されており、前記底壁体には、前記コンデンサの前記一対のリード部が挿通される一対のリード挿通孔が貫設されている一方、前記筒壁体に内装された前記底壁体を、前記筒壁体の基端部側に離脱可能に位置決め保持するロック手段が設けられていることを特徴とする。
【０００８】
本発明に従う構造とされたコンデンサ内蔵ジョイントコネクタによれば、コネクタハウジングの一端側に設けられたバスバー保持部と、他端側に設けられたコンデンサ保持部の間に接続領域が設けられており、当該接続領域内において、コンデンサのリード部と電源側バスバーおよびアース側バスバーのリード接続部とが相互に重ね合わされて電気的に接続される構造とされている。従って、コネクタハウジングのバスバー保持部とコンデンサ保持部の間の中間部分に設けられた接続領域を利用することにより、当該接続領域内でリード部とリード接続部を容易且つ安定して電気的に接続させることができる。特に、コネクタハウジングの両端側で接続対象である電源側バスバー／アース側バスバーとコンデンサが保持されていることから、接続対象の位置決めをコネクタハウジングへの装着と同時に容易に達成できる。これにより、従来構造に比して接続工程に必要とされる治具や位置合わせの作業を有利に削減して、接続作業を簡便且つ容易に行うことができる。
【０００９】
また、接続領域がバスバー保持部とコンデンサ保持部の間に設けられていることから、各バスバーから突出するリード接続部や、コンデンサ本体の底面から突出する一対のリード部を屈曲等することなく、接続領域内に突出させるのみで、リード接続部とリード部を重ね合わせて電気的に接続させることができる。それ故、従来構造の如きコンデンサの一対のリード部をリード接続部の位置に合わせて屈曲させる必要がなく、接続作業の一層の効率化を図ることができる。
【００１０】
加えて、コンデンサ保持部には、リード挿通孔が設けられていることから、コンデンサのリード部をリード挿通孔に挿通するだけで、コンデンサ保持部に保持されたコンデンサを確実に位置決め保持することができ、リード部とリード接続部の接続作業時やその後の使用時におけるコンデンサの回転による接続不良等を未然に防止することができる。なお、コンデンサ保持部の底壁にこのようなリード挿通孔を設けた際には、コンデンサ本体の底面から突出するリード部をコンデンサ保持部の奥方にあるリード挿通孔に挿通する作業が困難となり、却って作業性を悪化させることが予測できるが、本発明ではかかる作業も容易に行い得るようになっている。
【００１１】
すなわち、コンデンサ保持部が、コネクタハウジングの他端側から中空筒体状に突出してコンデンサ本体の外周面を保持する筒壁体と、筒壁体にスライド自在に内挿されてコンデンサ本体の底面と対向する底壁体とに分断された構成とされている。従って、コンデンサのリード部を底壁体のリード挿通孔に挿通する作業を、リード挿通孔の目視確認が非常に良好な状態で簡単に行うことができる。しかも、筒壁体に内装された底壁体を、筒壁体の基端部側に離脱可能に位置決め保持するロック手段が設けられていることから、コンデンサがコンデンサ保持部に位置決めされた状態を安定して保持することができる。それ故、コンデンサの保持安定性と装着容易性の両立を巧く図ることができるのである。
【００１２】
なお、コンデンサのリード部とバスバーのリード接続部の接続方法も任意であり、接続領域で実施し得るものであれば、抵抗溶接の他、半田付け等の方法により電気的に接続されるようにしてもよい。
【００１３】
本発明の第二の態様は、前記第一の態様に記載のものにおいて、前記筒壁体の内周面と前記底壁体の外周面の一方に、軸方向に延びる係合凸部が形成されている一方、前記筒壁体の内周面と前記底壁体の外周面の他方に、軸方向に延びる係合凹部が形成されており、前記係合凸部と前記係合凹部が相互に嵌合された状態で、前記底壁体が前記筒壁体にスライド自在に内挿されているものである。
【００１４】
本態様によれば、係合凸部と係合凹部が相互に嵌合された状態で、前記底壁体が前記筒壁体にスライド自在に内挿されるようになっていることから、コンデンサ保持部に対してコンデンサを周方向（回転方向）で位置決めすることができる。これにより、筒壁体にスライド装着される底壁体の回転を阻止して、コンデンサをコンデンサ保持部により一層安定して位置決め保持することができる。
【００１５】
なお、係合凸部と係合凹部は底壁体と筒壁体の対向面間に少なくとも１組設けられていればよいが、複数個設けられていてもよい。好ましくは、軸直方向に対向する２か所にそれぞれ係合凸部と係合凹部が設けられる。これにより一層安定した回転防止効果が発揮される。
【００１６】
本発明の第三の態様は、前記第一又は第二の態様に記載のものにおいて、前記ロック手段が、前記底壁体の外周面に軸直方向に撓み変形可能に突設されたロック爪と、前記筒壁体の前記基端部側に貫設されたロック穴を含んで構成されており、前記ロック爪が軸直方向内方に撓み変形することにより前記底壁体が前記筒壁体にスライド自在に内挿される一方、前記ロック爪が軸直方向外方に弾性復帰して前記ロック穴に嵌め入れられることにより、前記底壁体が前記筒壁体の前記基端部側に離脱可能に位置決め保持されるようになっているものである。
【００１７】
本態様によれば、ロック手段を底壁体と筒壁体の対向面間に容易に形成することができる。特に底壁体の外周面に軸方向外方に突出するロック爪を設けたことにより、作業者が底壁体をコンデンサに装着する作業を行う際に底壁体の把持がし易くなって作業性の向上を図ることができる。
【００１８】
本発明の第四の態様は、前記第三の態様に記載のものにおいて、前記ロック爪により前記底壁体の外周面に軸方向に延びる前記係合凸部が構成されている一方、前記筒壁体の内周面には、該筒壁体の先端から前記ロック穴に向かって軸方向に延びる前記係合凹部が構成されているものである。
【００１９】
本態様によれば、ロック爪により係合凸部を構成したことから、部品点数の増加を防止しつつ、底壁体を筒壁体の基端部側に位置決めすると共に、底壁体の筒壁体内部での回転を阻止することができる。これにより、底壁体の筒壁体への挿入作業の一層の容易性や精度の向上が図られ得る。
【００２０】
本発明の第五の態様は、前記第一乃至第四の何れかの態様に記載のものにおいて、前記底壁体において、前記コンデンサ本体の前記底面と対向する一方の面の反対側となる他方の面には、軸方向に突出するリード支持台が構成されている一方、該リード支持台には、前記一対のリード挿通孔から突出する一対のリード部を保持する一対のリード保持溝が略半円形断面形状で延出形成されているものである。
【００２１】
本態様によれば、底壁体に、リード挿通孔に加えてリード保持溝を設けたことにより、部品点数の増加やリード部のリード挿通孔への挿入作業の煩雑化を防止しつつ、コンデンサのリード部をより一層精度よく位置決めすることができる。
【発明の効果】
【００２２】
本発明においては、コネクタハウジングの一端側に設けられたバスバー保持部と、他端側に設けられたコンデンサ保持部の間に接続領域が設けられており、当該接続領域内において、コンデンサのリード部と電源側バスバーおよびアース側バスバーのリード接続部を電気的に接続するようにした。これにより、接続対象を少ない部品点数で確実に位置決め保持して接続工程を容易且つ簡便に行うことができる。しかも、コンデンサ保持部が筒壁体と底壁体とに分断されていることから、コンデンサのリード部を底壁体のリード挿通孔に挿通する作業を、リード挿通孔の目視確認が非常に良好な状態で簡単に行うことができる。また、筒壁体に内挿された底壁体を、筒壁体の基端部側に離脱可能に位置決め保持するロック手段が設けられていることから、コンデンサがコンデンサ保持部に位置決めされた状態を安定して保持することができる。それ故、コンデンサの保持安定性と装着容易性の両立を巧く図ることができる。
【図面の簡単な説明】
【００２３】
【図１】本発明の一実施形態としてのコンデンサ内蔵ジョイントコネクタの分解斜視図。
【図２】図１に示したコネクタハウジングに対して、電源側バスバー，アース側バスバーおよびコンデンサを組み付けたコネクタ本体と、コネクタケースを示す分解斜視図。
【図３】図２におけるＩＩＩ−ＩＩＩ断面の要部拡大図。
【図４】図２におけるＩＶ−ＩＶ断面の要部拡大図。
【発明を実施するための形態】
【００２４】
以下、本発明の実施形態について、図面を参照しつつ説明する。
【００２５】
先ず、図１および図２に、本発明の一実施形態としてのコンデンサ内蔵ジョイントコネクタ１０の分解斜視図を示す。コンデンサ内蔵ジョイントコネクタ１０は、複数の端子部１２を有する電源側バスバー１４と、複数の端子部１６を有するアース側バスバー１８と、電源側バスバー１４とアース側バスバー１８の間を接続するコンデンサ２０が、コネクタハウジング２２に収容保持されてなるコネクタ本体２４を含んで構成されている。そして、コネクタ本体２４がコネクタケース２６に収容保持されることにより、本実施形態のコンデンサ内蔵ジョイントコネクタ１０が構成されるようになっている。
【００２６】
より詳しくは、電源側バスバー１４およびアース側バスバー１８は、銅や銅合金等の導通性金属平板を所定の形状にプレス打ち抜き加工等して形成されている。図１に示すように、電源側バスバー１４は、相互に離隔して整列配置された複数の端子部１２が、それらの基端部側でビーム状の連結部３０を介して相互に連結されている。連結部３０を挟んで端子部１２と反対側には、連結部３０の両端側から突出する一対の係合突部３２ａ，３２ｂが突設されている。また、連結部３０の中央部分のやや係合突部３２ａ寄りには、帯状の電源側リード接続部３４が係合突部３２ａ，３２よりも大きな突出長さで突設されている。同様に、アース側バスバー１８は、相互に離隔して整列配置された複数の端子部１６が、それらの基端部側でビーム状の連結部３６を介して相互に連結されている。連結部３６を挟んで端子部１６と反対側には、連結部３６の両端側から突出する一対の係合突部３８ａ，３８ｂが突設されている。また、連結部３６の中央部分の係合突部３８ｂ寄りには、帯状のアース側リード接続部４０が係合突部３８ａ，３８よりも大きな突出長さで突設されている。なお、アース側リード接続部４０は、突出先端部側が側面視でクランク状に屈曲されて立ち上げられており、その突出先端面４０ａが、端子部１６よりも上方に位置されるようになっている。
【００２７】
電源側バスバー１４とアース側バスバー１８の間を接続するコンデンサ２０は、円筒形状のコンデンサ本体４２と、コンデンサ本体４２の底面４４から同じ向きである軸方向外方（図１中、左側）に突出する一対のリード部４６ａ，４６ｂを備えている。このような構造を備えたコンデンサ２０として、従来から公知の電解コンデンサやフィルムコンデンサ等の各種コンデンサが好適に採用可能である。
【００２８】
これらの電源側バスバー１４、アース側バスバー１８およびコンデンサ２０を収容保持するコネクタハウジング２２は、非導通性の合成樹脂材料を射出成形等により一体形成した構造とされている。図１に示すように、コネクタハウジング２２は、その中央部分に矩形枠体部４８を備えており、矩形枠体部４８の内部に形成される中空領域により、矩形枠体部４８によって画成される接続領域５０が構成されるようになっている。コネクタハウジング２２の長手方向の一端側となる、矩形枠体部４８の一対の対向壁部の一方（図１中、左側）には、バスバー保持部５２が一体形成されている。また、コネクタハウジング２２の長手方向の他端側となる、矩形枠体部４８の一対の対向壁部の他方（図１中、右側）には、バスバー保持部５２から長手方向に離隔した位置に、コンデンサ２０を収容保持するコンデンサ保持部５４が一体形成されている。
【００２９】
バスバー保持部５２には、コンデンサ保持部５４との対向方向で内部を貫通する電源側バスバー収容孔５６とアース側バスバー収容孔５８が形成されている。電源側バスバー収容孔５６とアース側バスバー収容孔５８は、矩形枠体部４８の軸方向の上下に並ぶように配列されている。そして、バスバー保持部５２の電源側バスバー収容孔５６に対して、外方開口側（図１中、左側）から電源側バスバー１４が挿し入れられると、電源側バスバー収容孔５６の内部に形成された図示しない係合凹部に、電源側バスバー１４に設けられた一対の係合突部３２ａ，３２ｂが嵌り込んで保持される。これにより、電源側バスバー１４が、バスバー保持部５２の電源側バスバー収容孔５６の所定位置に位置決めされて保持される。かかる位置決め状態下において、電源側バスバー１４に設けられた電源側リード接続部３４が、電源側バスバー収容孔５６を貫通して、バスバー保持部５２からコンデンサ保持部５４に向かって突出するようにして、接続領域５０内に配設されている。
【００３０】
同様に、バスバー保持部５２のアース側バスバー収容孔５８に対して、外方開口側（図１中、左側）からアース側バスバー１８が挿し入れられる。なお、アース側バスバー１８は、前述のとおり先端側がクランク状に折り曲げられたアース側リード接続部４０を有していることから、アース側リード接続部４０を全長に亘ってアース側バスバー収容孔５８に挿通することは不可能である。そこで、アース側バスバー収容孔５８の底面には、切欠部６０が形成されている。そして、アース側バスバー１８をアース側バスバー収容孔５８に挿し入れる際には、先ず、アース側リード接続部４０の基端部側を下方から切欠部６０に嵌め入れるようにしてアース側バスバー収容孔５８に挿し入れる。その後、アース側バスバー１８の一対の係合突部３８ａ，３８ｂを、アース側バスバー収容孔５８の外方開口側（図１中、左側）から奥方に挿し入れると、アース側バスバー収容孔５８の内部に形成された図示しない係合凹部に、アース側バスバー１８の一対の係合突部３８ａ，３８ｂが嵌り込んで保持される。これにより、アース側バスバー１８が、バスバー保持部５２のアース側バスバー収容孔５８の所定位置に位置決めされて保持されるのである。
【００３１】
ここで、バスバー保持部５２に収容保持された電源側バスバー１４の電源側リード接続部３４の上面と、アース側バスバー１８のアース側リード接続部４０の突出先端面４０ａの上面が、矩形枠体部４８の軸方向において略同じ位置に保持されるようになっている。
【００３２】
一方、コネクタハウジング２２の他端側に設けられたコンデンサ保持部５４は、図１に示すように、コネクタハウジング２２の他端側から中空筒体状に突出してコンデンサ本体４２の外周面を保持する筒壁体６２と、筒壁体６２にスライド自在に内装されてコンデンサ本体４２の底面４４と対向する底壁体６４を含んで構成されている。筒壁体６２がコネクタハウジング２２と一体形成されている一方、底壁体６４はコネクタハウジング２２とは別体形成されている。
【００３３】
底壁体６４には、コンデンサ２０の一対のリード部４６ａ，４６ｂが挿通される一対のリード挿通孔６６ａ，６６ｂが貫設されている。また、底壁体６４において、コンデンサ本体４２の底面４４と対向する一方の面６８の反対側となる他方の面７０には、軸方向に突出するリード支持台７２が一体的に形成されている。リード支持台７２には、一対のリード挿通孔６６ａ，６６ｂから突出する一対のリード部４６ａ，４６ｂを保持する一対のリード保持溝７４ａ，７４ｂが略半円形断面形状で延出形成されている。
【００３４】
また、底壁体６４の外周面の軸直方向に対向する箇所には、底壁体６４の一方の面６８から軸方向に延びる一対のロック爪７６，７６が設けられている。一対のロック爪７６，７６は平面視において矩形形状とされている一方、その先端部には軸直方向外方に突出する突起７８が設けられており、軸直方向に撓み変形可能とされている（図４参照）。さらに、同じく底壁体６４の一方の面６８から軸方向に突出し、一対のロック爪７６，７６間に延び出す突条８０が、一対のロック爪７６，７６から僅かに離隔して設けられており、ロック爪７６の過度の撓み変形を防止するようになっている。ここで、突条８０の一方の面６８からの突出寸法は、一対のロック爪７６，７６の一方の面６８からの突出寸法と略同じとされている。
【００３５】
一方、筒壁体６２の基端部側の軸直方向に対向する箇所には、一対のロック穴８２，８２が貫設されている。一対のロック穴８２，８２の開口寸法は、一対のロック爪７６，７６に設けられた突起７８より僅かに大きく形成されている。また、図４に示すように、筒壁体６２の内周面には、筒壁体６２の先端（図４中、右側）から一対のロック穴８２，８２に向かって軸方向に延びる一対の係合凹部８４，８４が形成されている。
【００３６】
次に、図１〜４を用いて、電源側バスバー１４とアース側バスバー１８がバスバー保持部５２に収容保持されたコネクタハウジング２２に対して、コンデンサ２０を装着する作業について説明する。図１に示すように、先ず、コンデンサ保持部５４の底壁体６４に設けられたリード挿通孔６６ａ，６６ｂにコンデンサ２０のリード部４６ａ，４６ｂを挿通して、底壁体６４をコンデンサ２０に装着する。この時、底壁体６４は、コネクタハウジング２２と別体形成された小さな部品であることから、容易に把持等することができ、且つ底壁体６４に設けられたリード挿通孔６６ａ，６６ｂは周囲から容易に目視やアクセスが可能である。従って、リード挿通孔６６ａ，６６ｂにコンデンサ２０のリード部４６ａ，４６ｂを挿通する作業は非常に容易に行うことができる。
【００３７】
続いて、図２〜４に示すように、このようにコンデンサ２０に装着された底壁体６４を、コネクタハウジング２２に一体的に設けられた筒壁体６２に組み付ける。その際、図４に示すように、底壁体６４に突設された一対のロック爪７６，７６を、筒壁体６２の先端（図４中、右側）から、筒壁体６２の内周面に形成された一対の係合凹部８４，８４に位置合わせして嵌め入れることにより、一対のロック爪７６，７６が軸直方向内方に撓み変形して、底壁体６４が筒壁体６２にスライド自在に内挿される。さらに、底壁体６４を筒壁体６２内にスライドさせることにより、一対のロック爪７６，７６が軸直方向外方に弾性復帰して突起７８がロック穴８２に嵌め入れられる。これにより、底壁体６４が筒壁体６２の基端部側に位置決め保持された状態を安定して保持することができる。なお、底壁体６４の筒壁体６２からの離脱は、ロック穴８２に係合している突起７８を押し込んだ状態で、コンデンサ２０に装着された底壁体６４を筒壁体６２から引き抜くことにより、容易に行うことができる。なお、筒壁体６２の基端部の開口部には、筒壁体６２の内周面から軸直方向内方に突出するリング状のストッパ８６が設けられており、底壁体６４の過度の押込みを防止している。
【００３８】
以上のように、ロック爪７６とロック穴８２によって、筒壁体６２に内装された底壁体６４を、筒壁体６２の基端部側に離脱可能に位置決め保持するロック手段が構成されているのである。また、ロック爪７６により底壁体６４の外周面に軸方向に延びる係合凸部が構成されており、係合凸部と係合凹部８４が相互に嵌合された状態で、底壁体６４が筒壁体６２にスライド自在に内挿されているのである。
【００３９】
このように、コンデンサ２０に装着された底壁体６４を筒壁体６２に離脱可能に組み付けることにより、図２に示すように、一対のリード挿通孔６６ａ，６６ｂから突出する一対のリード部４６ａ，４６ｂが、リード支持台７２に形成された一対のリード保持溝７４ａ，７４ｂに嵌め入れられて保持されるようになっている。なお、リード挿通孔６６ａ，６６ｂやリード保持溝７４ａ，７４ｂの底面は、矩形枠体部４８の軸方向において、電源側リード接続部３４の上面やアース側リード接続部４０の突出先端面４０ａの上面よりも僅かに上方に位置されている。
【００４０】
また、コネクタハウジング２２に対して、電源側バスバー１４とアース側バスバー１８がバスバー保持部５２に収容保持される一方、コンデンサ２０がコンデンサ保持部５４に収容保持されることにより、図２に示すように、矩形枠体部４８によって画成された接続領域５０内には、バスバー保持部５２からコンデンサ保持部５４に向かって突出する電源側バスバー１４の電源側リード接続部３４およびアース側バスバー１８のアース側リード接続部４０と、コンデンサ保持部５４からバスバー保持部５２に向かって突出するコンデンサ２０の一対のリード部４６ａ，４６ｂが、矩形枠体部４８の軸方向で相互に重ね合わされた状態で位置決め保持されている。従って、図２に示す状態において、任意の方法により、一対のリード部４６ａ，４６ｂを、電源側リード接続部３４とアース側リード接続部４０にそれぞれ電気的に接続させることができる。本実施形態においては、矩形枠体部４８の軸方向上下側から、図示しない抵抗溶接機の一対の電極チップを挿入して、一対のリード部４６ａ，４６ｂと、電源側リード接続部３４およびアース側リード接続部４０の重ね合せ部分を、電極チップ間で挟み込み、抵抗溶接によりそれらが電気的に接続されている。
【００４１】
一対のリード部４６ａ，４６ｂと、電源側リード接続部３４およびアース側リード接続部４０が相互に重ね合わされて抵抗溶接によって電気的に接続された、図２に示すコネクタ本体２４は、最終的に、コネクタケース２６に収容保持される（図２参照）。コネクタケース２６は、非導電性の合成樹脂材により形成されており、一端側にコンデンサ保持部５４を収容する有底円筒部８８を有する一方、他端側がバスバー保持部５２を収容する矩形筒体部９０を有している。そして、矩形筒体部９０の開口部から、コネクタ本体２４がコンデンサ保持部５４を先頭に挿し入れられることにより、コネクタケース２６内に、コネクタ本体２４が位置決め保持されて収容されるようになっている。これにより、本実施形態に従うコンデンサ内蔵ジョイントコネクタ１０が提供される。このようなコンデンサ内蔵ジョイントコネクタ１０は、図示しない相手側コネクタに接続されて使用される。これにより、電源側バスバー１４の端子部１２に接続された各種機器のプラス側や電源のプラス側から導出される複数の電線が、電源側バスバー１４を介して一括接続される一方、アース側バスバー１８の端子部１６に接続された各種機器のマイナス側や電源のマイナス側から導出される複数の電線が、アース側バスバー１８に一括接続され、コンデンサ２０を介して電源側に発生するノイズを除去することができるようになっている。
【００４２】
このような本実施形態のコンデンサ内蔵ジョイントコネクタ１０によれば、コネクタハウジング２２の両端側に設けられたバスバー保持部５２とコンデンサ保持部５４に対して、それぞれ電源側バスバー１４およびアース側バスバー１８とコンデンサ２０を装着するだけで、それらの間に設けられた接続領域５０において、電気的な接続対象である電源側リード接続部３４およびアース側リード接続部４０と、コンデンサ２０のリード部４６ａ，４６ｂを屈曲等する必要なく、重ね合わせ状態に位置決め保持することができる。それ故、接続対象の位置決めをコネクタハウジング２２への装着と同時に容易に達成できる。これにより、従来構造に比して接続工程に必要とされる治具や位置合わせの作業さらにはリード部４６ａ，４６ｂの屈曲作業等を削減して、接続作業の簡便性や容易性さらには効率性を飛躍的に向上させることができる。
【００４３】
しかも、コンデンサ保持部５４には、リード挿通孔６６ａ，６６ｂが設けられていることから、コンデンサ２０のリード部４６ａ，４６ｂをリード挿通孔６６ａ，６６ｂに挿通するだけで、コンデンサ保持部５４に保持されたコンデンサ２０の中心軸周りの回転を防止することができる。これにより、接続作業時やその後の使用時におけるコンデンサ２０の回転によるリード部４６ａ，４６ｂと電源側およびアース側のリード接続部３４，４０の接続不良等を未然に防止することができる。さらに、底壁体６４に、リード挿通孔６６ａ，６６ｂに加えてリード保持溝７４ａ，７４ｂを設けたことにより、部品点数の増加やリード部４６ａ，４６ｂのリード挿通孔６６ａ，６６ｂへの挿入作業の煩雑化を防止しつつ、コンデンサ２０のリード部４６ａ，４６ｂをより一層精度よく位置決めすることができる。
【００４４】
特に、本実施形態では、ロック爪７６により係合凸部を構成したことから、部品点数の増加を防止しつつ、底壁体６４を筒壁体６２の基端部側に位置決めすると共に、底壁体６４の筒壁体６２内部での回転を阻止することができる。また、底壁体６４の外周面に軸直方向外方に突出するロック爪７６を設けたことにより、作業者が底壁体６４をコンデンサ２０に装着する作業を行う際に底壁体６４の把持がし易くなって作業性の向上を図ることができる。これにより、底壁体６４の筒壁体６２への挿入作業の一層の容易性や、一層安定して位置決め保持することができる。
【００４５】
以上、本発明の実施形態について詳述したが、本発明はその具体的な記載によって限定されない。例えば、係合凸部と係合凹部８４は底壁体６４と筒壁体６２の対向面間に少なくとも１組設けられていればよいが、複数個設けられていてもよい。好ましくは、軸直方向に対向する２か所にそれぞれ係合凸部と係合凹部８４が設けられる。これにより一層安定した回転防止効果が発揮される。
【００４６】
また、接続領域５０における電源側／アース側リード接続部３４，４０とコンデンサ２０のリード部４６ａ，４６ｂの接続方向は、上記実施形態の抵抗溶接に限定されず、半田付けやその他の任意の接続方向が採用可能である。
【符号の説明】
【００４７】
１０：コンデンサ内蔵ジョイントコネクタ、１２：端子部、１４：電源側バスバー、１６：端子部、１８：アース側バスバー、２０：コンデンサ、２２：コネクタハウジング、３４：電源側リード接続部（リード接続部）、４０：アース側リード接続部（リード接続部）、４２：コンデンサ本体、４４：底面、４６ａ，ｂ：リード部、５０：接続領域、５２：バスバー保持部、５４：コンデンサ保持部、６２：筒壁体、６４：底壁体、６６ａ，ｂ：リード挿通孔、６８：一方の面、７０：他方の面、７２：リード支持台、７４ａ，ｂ：リード保持溝、７６：ロック爪（ロック手段，係合凸部）、８２：ロック穴（ロック手段）、８４：係合凹部
【図１】
2014102964.tif 000003
【図２】
2014102964.tif 000004
【図３】
2014102964.tif 000005
【図４】
2014102964.tif 000006